(57)【要約】【課題】コンテンツの内容を短時間で確認できること。【解決手段】コンテンツ再生システム１０は、再生されたコンテンツを視聴しているときのユーザの感受情報を収集する感受情報収集手段と、感受情報収集手段により収集されたユーザの感受情報に基づいて、コンテンツ毎に感受情報の分布情報を作成する感受情報分布作成手段と、感受情報分布作成手段により作成された感受情報の分布情報を、対応するコンテンツと共に表示させる表示手段と、を備えている。【選択図】図１
2012104037.tif 000002
【特許請求の範囲】
【請求項１】
再生されたコンテンツを視聴しているときのユーザの感受情報を収集する感受情報収集手段と、
前記感受情報収集手段により収集された前記ユーザの感受情報に基づいて、前記コンテンツ毎に前記感受情報の分布情報を作成する感受情報分布作成手段と、
前記感受情報分布作成手段により作成された前記感受情報の分布情報を、対応するコンテンツと共に表示させる表示手段と、を備える、ことを特徴とするコンテンツ再生システム。
【請求項２】
請求項１記載のコンテンツ再生システムであって、
前記感受情報分布作成手段は、前記感受情報を時系列で分布させた分布情報のピーク時間を抽出し、
前記表示手段は、前記感受情報分布作成手段により抽出された前記感受情報の分布情報におけるピーク時間と、前記コンテンツの現在の再生位置とを表示させる、ことを特徴とするコンテンツ再生システム。
【請求項３】
請求項２記載のコンテンツ再生システムであって、
前記表示手段は、ユーザの再生操作に応じて、前記コンテンツの現在の再生位置を、前記ピーク時間の位置へスキップさせる、ことを特徴とするコンテンツ再生システム。
【請求項４】
請求項１乃至３のうちいずれか１項記載のコンテンツ再生システムであって、
前記感受情報分布作成手段は、ユーザの再生端末から送信されるＩＤ情報に基づいて、前記ユーザと類似する嗜好人の感受情報の分布情報を生成する類似嗜好人情報処理部を有しており、
前記表示手段は、前記類似嗜好人情報処理部により生成された前記ユーザと類似する嗜好人の感受情報の分布情報を、前記対応するコンテンツと共に表示させる、ことを特徴とするコンテンツ再生システム。
【請求項５】
請求項４記載のコンテンツ再生システムであって、
前記類似嗜好人情報処理部は、生成した嗜好人の感受情報の分布情報を前記ユーザとの類似度毎に分類し、
前記表示手段は、前記類似嗜好人情報処理部により分類された嗜好人の感受情報の分布情報を前記類似度毎に表示させる、ことを特徴とするコンテンツ再生システム。
【請求項６】
請求項５記載のコンテンツ再生システムであって、
前記表示手段は、表示画面に、前記コンテンツと、該コンテンツの再生操作を行うための操作スイッチと、前記類似度毎の感受情報の分布情報と、前記ユーザの感受情報の分布情報と、を表示させる、ことを特徴とするコンテンツ再生システム。
【請求項７】
請求項１乃至６のうちいずれか１項記載のコンテンツ再生システムであって、
前記感受情報収集手段は、前記ユーザの生体情報を検出する生体センサを用いて、前記ユーザの感受情報を収集する、ことを特徴とするコンテンツ再生システム。
【請求項８】
請求項１乃至７のうちいずれか１項記載のコンテンツ再生システムであって、
前記感受情報収集手段を有する調査端末と、前記調査端末と通信ネットワークを介して接続され、前記感受情報分布作成手段を有するサーバと、
前記調査端末及びサーバと通信ネットワークを介して接続され、前記表示手段を有する再生端末と、を備える、ことを特徴とするコンテンツ再生システム。
【請求項９】
ユーザの調査端末から送信されるコンテンツを視聴しているときのユーザの感受情報に基づいて、前記コンテンツ毎に前記感受情報の分布情報を作成し、該作成された感受情報の分布情報を、対応するコンテンツと共にユーザの再生端末に対して送信する、ことを特徴とするサーバ。
【請求項１０】
再生されたコンテンツを視聴しているときのユーザの感受情報を収集し、
前記収集されたユーザの感受情報に基づいて、前記コンテンツ毎に前記感受情報の分布情報を作成し、
前記作成された感受情報の分布情報を、対応するコンテンツと共に表示させる、ことを特徴とするコンテンツ再生方法。
【請求項１１】
再生されたコンテンツを視聴しているときのユーザの感受情報を収集する処理と、
前記収集されたユーザの感受情報に基づいて、前記コンテンツ毎に前記感受情報の分布情報を作成する処理と、
前記作成された感受情報の分布情報を、対応するコンテンツと共に表示させる処理と、をコンピュータに実行させる、ことを特徴とするプログラム。
【発明の詳細な説明】
【技術分野】
【０００１】
本発明は、コンテンツの内容を短時間で確認できるコンテンツ再生システム、サーバ、コンテンツ再生方法、及びプログラムに関するものである。
【背景技術】
【０００２】
近年、インターネットの普及に伴い、個々のユーザの嗜好や要望に合致したコンテンツを迅速且つ正確に検索し得るコンテンツ検索システムの普及が進んでいる。このようなコンテンツ検索システムは、一般的に、Ｗｅｂサイト上のオンラインデータベースの検索エンジン等を用い、キーワードなどの文字入力に基づいてコンテンツや情報検索が実行されるようになっている。さらに、最近では、ハミング（鼻歌や口笛）をマイクロフォン等の音声入力装置から入力し、その入力データに基づいて音楽コンテンツを検索できるような検索方式が多数提案されている。そうした中で、ビデオ等の再生対象コンテンツにおいても、長編作品を全て視聴するのではなく、ダイジェスト的に視聴し、短時間でコンテンツ内容を確認することの要望が高まっている。
【０００３】
例えば、個々のユーザの嗜好や要望に合致したコンテンツを迅速且つ正確に検索し得るコンテンツ検索システムが知られている（特許文献１参照）。当該コンテンツ検索システムにおいては、再生端末でコンテンツ再生を行った際に、調査端末が視聴者であるユーザの感受状態（心理的・生理的状態）を各種センサで測定すると共に、その感受データを編成処理してサーバへ送信してコンテンツと感受データとを関連付けてユーザ情報として登録し、以降、検索条件として感情表現等のキーワードが設定された際に、ユーザ情報を用いてコンテンツの検索を実行する。
【先行技術文献】
【特許文献】
【０００４】
【特許文献１】特開２００５−１４１２８１号公報
【発明の概要】
【発明が解決しようとする課題】
【０００５】
しかしながら、上記コンテンツ検索システムは、収集した感受情報に基づいて、ユーザと類似した嗜好のコンテンツを検索するものである。したがって、ユーザがコンテンツの嗜好（「おもしろさ」、「醍醐味」など）を確認するためには、その選択したコンテンツを全て視聴する必要があり、選択されたコンテンツがユーザの嗜好を反映した内容かを確認するのに多大な時間を要するという問題が生じている。
【課題を解決するための手段】
【０００６】
本発明の一態様は、再生されたコンテンツを視聴しているときのユーザの感受情報を収集する感受情報収集手段と、前記感受情報収集手段により収集された前記ユーザの感受情報に基づいて、前記コンテンツ毎に前記感受情報の分布情報を作成する感受情報分布作成手段と、前記感受情報分布作成手段により作成された前記感受情報の分布情報を、対応するコンテンツと共に表示させる表示手段と、を備える、ことを特徴とするコンテンツ再生システムである。この一態様によれば、コンテンツと共に表示される感受情報の分布情報を参照して、感受性の高いところを再生し視聴できるため、コンテンツの内容を短時間で確認できる。
【０００７】
他方、本発明の一態様は、ユーザの調査端末から送信されるコンテンツを視聴しているときのユーザの感受情報に基づいて、前記コンテンツ毎に前記感受情報の分布情報を作成し、該作成された感受情報の分布情報を、対応するコンテンツと共にユーザの再生端末に対して送信する、ことを特徴とするサーバであってもよい。
【０００８】
また、本発明の一態様は、再生されたコンテンツを視聴しているときのユーザの感受情報を収集し、前記収集されたユーザの感受情報に基づいて、前記コンテンツ毎に前記感受情報の分布情報を作成し、前記作成された感受情報の分布情報を、対応するコンテンツと共に表示させる、ことを特徴とするコンテンツ再生方法であってもよい。
【０００９】
さらに、本発明の一態様は、再生されたコンテンツを視聴しているときのユーザの感受情報を収集する処理と、前記収集されたユーザの感受情報に基づいて、前記コンテンツ毎に前記感受情報の分布情報を作成する処理と、前記作成された感受情報の分布情報を、対応するコンテンツと共に表示させる処理と、をコンピュータに実行させる、ことを特徴とするプログラムであってもよい。
【発明の効果】
【００１０】
本発明によれば、コンテンツの内容を短時間で確認できるコンテンツ再生システム、サーバ、コンテンツ再生方法、及びプログラムを提供できる。
【図面の簡単な説明】
【００１１】
【図１】本発明の一実施形態に係るコンテンツ再生システムの概略的な構成を示すブロック図である。
【図２】感受情報分布作成部により作成された感受情報分布情報の一例を示す図である。
【図３】本発明における感受情報の蓄積方法と分布作成方法の処理フローの一例を示すフローチャートである。
【図４】本発明における再生コンテンツの方法の処理フローの一例を示すフローチャートである。
【図５】本発明における感受情報分布情報の表示方法の処理フローの一例を示すフローチャートである。
【図６】本発明の一実施形態に係るコンテンツ再生システムの再生端末に表示される表示画面の一例を示す図である。
【図７】本発明の一実施形態に係るコンテンツ再生システムの再生端末に表示される表示画面の感受情報分布情報一例を示す図である。
【図８】本発明の一実施形態に係るコンテンツ再生システムの再生端末に表示される表示画面の感受情報分布情報一例を示す図である。
【発明を実施するための形態】
【００１２】
以下、図面を参照して本発明の実施の形態について説明する。本発明の一実施形態に係るコンテンツ再生システム１０は、音声や映像などのコンテンツ全体の内容を短時間で確認できるものである。図１は、本発明の一実施形態に係るコンテンツ再生システムの概略的な構成を示すブロック図である。
【００１３】
本実施形態に係るコンテンツ再生システム１０において、少なくとも１組の、コンテンツを再生する再生端末１と、ユーザのコンテンツ嗜好を調査するための調査端末２と、が通信ネットワーク４を介してサーバ３に接続されている。なお、再生端末１と調査端末２とは独立して構成されているが一体的に構成されていてもよい。
【００１４】
調査端末２は、ユーザのコンテンツの嗜好を調査するための端末であり、感受情報収集部２１と、通信制御部２２と、を有している。
【００１５】
感受情報収集部２１は、感受情報収集手段の一具体例であり、再生端末１でコンテンツが再生され、ユーザが視聴しているときの、そのユーザのコンテンツに対する感受情報を収集する。
【００１６】
感受情報収集部２１は、ユーザがコンテンツを視聴したときの、そのユーザの脈拍、血圧、呼吸、音声、発汗、脳波、体温、目の動き（瞬きなど）、体動（手足の振動、頷きなど）等の生体情報（生理的状態変化）を検出するための生体センサを有している。感受情報収集部２１は、生体センサ２３により検出されたユーザの生体情報をデジタル値に変換し、所定の加工処理を施して感受情報を生成し、収集する。
【００１７】
感受情報収集部２１は、通信制御部２２が接続されている。通信制御部２２は、通信ネットワーク４を介してサーバ３と接続されており、調査端末２の通信制御を行う。
【００１８】
サーバ３は、本システム１０の処理を中心的に行う装置であり、感受情報蓄積記録部３１と、感受情報分布作成部３２と、第１ＨＤＤ３３と、感受情報分布データベース３４と、感受情報分布表示作成部３５と、コンテンツ指定箇所再生開始部３６と、第２ＨＤＤ３７と、Ｗｅｂサーバ３８と、通信制御部３９と、を有している。
【００１９】
感受情報蓄積記録部３１は、各ユーザの有する調査端末２よりリアルタイムで送信される感受情報を、各コンテンツと対応させて第１ＨＤＤ３３に逐次、記憶させ蓄積させる。感受情報蓄積記録部３１は、通信制御部３９を介して通信ネットワーク４に接続されている。第１及び第２ＨＤＤ３３、３７、及び感受情報分布データベース３４としては、例えば磁気ディスク装置が用いられているが、これに限らず、例えば、光ディスク装置、ＲＡＭなどのメモリを用いてもよく、任意の記憶装置を用いることができる。
【００２０】
感受情報分布作成部３２は、感受情報分布作成手段の一具体例であり、第１ＨＤＤ３３に記憶された感受情報（例えば、脈拍や体温）に基づいて、各コンテンツに対応する感受情報を時間軸で夫々分布させ、そのピーク値（ピーク時間）を抽出した感受情報分布情報を作成する（図２）。感受情報分布作成部３２は、作成した感受情報分布情報を感受情報分布データベース３４の第１階層３４１に記憶させる。感受情報分布作成部３４は、Ｗｅｂサーバ３８、通信制御部３９を介して通信ネットワーク４に接続されている。
【００２１】
感受情報分布作成部３２は、類似嗜好人リスト過去情報３２１ａに基づいて、任意のコンテンツに対応する感受情報分布情報を生成し、感受情報分布データベース３４に記憶させる類似嗜好人情報処理部３２１を有している。
【００２２】
ここで、類似嗜好人リスト過去情報３２１ａとは、ユーザと類似した嗜好の嗜好人をリスト化した情報であり、コンテンツ毎に嗜好人とその感受情報とが対応させて記憶されており、類似嗜好人情報処理部３２１に予め記憶されている。
【００２３】
類似嗜好人情報処理部３２１は、再生端末１から送信される再生端末ＩＤ１１１に対応するユーザの嗜好に類似する嗜好人の感受情報を、類似嗜好人リスト過去情報３２１ａの中から抽出し、上記同様に、各感受情報を時間軸で分布し、分布のピーク時間を抽出した感受情報分布情報を、コンテンツ毎に作成する。
【００２４】
ここで、再生端末ＩＤ１１１は、各再生端末固有の情報であり、再生端末ＩＤ１１１に基づいて、その再生端末１を使用するユーザを特定することができる。また、再生端末ＩＤ（ユーザ）１１１と類似する嗜好人との対応関係は、例えば、類似嗜好人情報処理部３２１に予め設定されている。
【００２５】
類似嗜好人情報処理部３２１は、感受情報分布データベース３４の第１階層３４１に記憶された感受情報分布情報と、上記作成した嗜好人の感受情報分布情報と、をコンテンツ毎に比較し、類似度を夫々算出する。
【００２６】
ここで、類似度は、例えば、ユーザの感受情報分布情報と嗜好人の感受情報分布情報との、ピーク時間の位置やそのピークの大きさの相違に基づいて算出され、例えば、１０個のピーク時間の位置のうち９個のピーク時間の位置が略一致していれば類似度９０％とし、数値が大きいほどその類似度が高いことを示す。
【００２７】
類似嗜好人情報処理部３２１は、類似嗜好人リスト過去情報に基づいて、再生端末ＩＤ１１１に対応するユーザに類似する嗜好人の感受情報分布情報に対してその類似度を夫々算出する。そして、類似嗜好人情報処理部３２１は、類似度が９０％以上の嗜好人の感受情報分布情報を感受情報分布データベース３４の第２階層３４２に記憶させ、類似度が６０％以上の嗜好人の感受情報分布情報を感受情報分布データベース３４の第３階層３４３に記憶させ、類似度が４０％以上の嗜好人の感受情報分布情報を感受情報分布データベース３４の第４階層３４４に記憶させる、ことで各嗜好人の感受情報分布情報の分類を行う。なお、上記類似度による分類方法は一例であり、これに限らず、例えば、％の設定値は任意でよく、任意の分類方法が適用可能である。
【００２８】
感受情報分布表示作成部３５は、ユーザの感受情報分布情報を再生端末１に表示させるための表示データを作成し、作成した表示データを、Ｗｅｂサーバ３８、通信制御部３９、及び通信ネットワーク４を介して、再生端末１に対して送信する。
【００２９】
コンテンツ指定箇所再生開始部３６は、再生端末１の操作に応じて、Ｗｅｂサーバ３８、通信制御部３９、及び通信ネットワーク４を介して、各種コンテンツが予め記憶された第２ＨＤＤ３７から、再生端末１の操作入力によって指定されたコンテンツの指定箇所を読み出し、再生端末１に対して送信する。再生端末１は、コンテンツ指定箇所再生開始部３６から送信されたコンテンツの指定箇所を再生する。通信制御部３９は、通信ネットワーク４を介して、再生端末１の通信制御部１４および調査端末２の通信制御部２２に夫々接続される。
【００３０】
再生端末１は、サーバ３から送信されるコンテンツを再生するための装置であり、端末固有情報管理部１１と、表示管理部１２と、入力管理部１３と、通信制御部１４と、Ｗｅｂブラウザ１５と、を有している。端末固有情報管理部１１は、再生端末固有の再生端末ＩＤ１１１を、サーバ３に対して送信する。表示管理部１２は、表示手段の一具体例であり、サーバ３から送信される感受情報分布情報の表示データと、コンテンツ指定箇所再生開始部３６から送信されるコンテンツのストリーミング情報と、を液晶や有機ＥＬなどの表示画面に表示させる。
【００３１】
入力管理部１３は、コンテンツ指定箇所再生開始部３６により指定されたコンテンツの指定箇所が再生されると、その再生開始情報を、サーバ３のコンテンツ指定箇所再生開始部３６に対して送信する。通信制御部１４は、通信ネットワーク４を介して調査端末２及びサーバ３と通信を行う。
【００３２】
次に、本発明の一実施形態に係るコンテンツ再生システム１０の処理フローについて図３乃至図５を用いて詳細に説明する。なお、図３乃至図５において、点線矢印はデータの流れ又は状態の伝達を示している。最初に、コンテンツ再生システムの再生端末による処理フローについて説明する。
【００３３】
図３に示すように、再生端末１が起動すると、端末固有情報管理部１１は再生端末ＩＤ１１１を、サーバ３に対して送信する（ステップＳ１０１）。
【００３４】
サーバ３の感受情報蓄積記録部３１は、第１ＨＤＤ３３の感受情報が更新されたか否かを判断する（ステップＳ１０２）。
【００３５】
感受情報蓄積記録部３１が、第１ＨＤＤ３３の感受情報が更新されたと判断したとき（ステップＳの１０２のＹＥＳ）、再生端末１の表示管理部１２は操作関連の表示情報（後述の（ステップＳ５０８）で送信される感受情報分布情報）を表示画面に表示させ（ステップＳ１０３）、後述の（ステップＳ１０４）に移行する。一方、感受情報蓄積記録部３１が、第１ＨＤＤ３３の感受情報が更新されていないと判断したとき（ステップＳの１０２のＮＯ）、再生端末１の入力管理部１３は機能操作スイッチ４０２（図６）からの入力状況を確認する（ステップＳ１０４）。
【００３６】
再生端末１は、サーバ３のコンテンツ指定箇所再生開始部３６からの再生開始情報に基づいて、コンテンツの指定箇所で再生開始するか否かを判断する（ステップＳ１０５）。
【００３７】
再生端末１は、再生開始すると判断したとき、コンテンツ再生開始を知らせる再生開始信号を、調査端末２に対して送信し（ステップＳ１０６）、後述の（ステップＳ１０７）に移行する。再生端末１は、既に再生中であると判断したとき、サーバ３から送信されるストリーミング情報のコンテンツ指定箇所を再生し（ステップＳ１０７）、後述の（ステップＳ１０８）に移行する。再生端末１は、停止中と判断したとき、上述の（ステップＳ１０２）に戻る。
【００３８】
再生端末１は、コンテンツの再生が終了したか否かを判断する（ステップＳ１０８）。再生端末１は、コンテンツの再生が終了したと判断したとき（ステップＳ１０８のＹＥＳ）、後述の（ステップＳ１０９）に移行し、コンテンツの再生が終了していないと判断したとき（ステップＳ１０８のＮＯ）、上述の（ステップＳ１０２）に戻る。
【００３９】
再生端末１は、コンテンツの再生終了を知らせる再生終了信号を、調査端末２に対して送信する（ステップＳ１０９）。
【００４０】
次に、コンテンツ再生システム１０の調査端末２による処理フローについて、詳細に説明する。
【００４１】
図３に示すように、調査端末２は、上記（ステップＳ１０６）において再生端末１から送信される再生開始信号を受信したとき（ステップＳ２０１）、感受情報開始信号をサーバ３に対して送信し、感受情報の記録を指示する（ステップＳ２０２）。
【００４２】
調査端末２の感受情報収集部２１は、生体センサ２３を用いてユーザの感受情報の収集を行なう（ステップＳ２０３）。調査端末２は、感受情報収集部２１により収集されたユーザの感受情報を、サーバ３に対して送信する（ステップＳ２０４）。
【００４３】
調査端末２は、上記（ステップＳ１０９）において再生端末１より送信される再生終了信号を受信したか否かを判断する（ステップＳ２０５）。調査端末２は、再生終了信号を受信していないと判断したとき（ステップＳ２０５のＮＯ）、上述の（ステップＳ２０３）に戻り、再生終了信号を受信したと判断したとき（ステップＳ２０５のＹＥＳ）、感受情報終了信号をサーバ３に対して送信する（ステップＳ２０６）。
【００４４】
次に、コンテンツ再生システム１０のサーバ３による処理フローについて、詳細に説明する。なお、サーバ３は、主として、ユーザの感受情報を記録する処理と、コンテンツの指定箇所を再生する処理と、再生端末１に表示のための感受情報分布情報を作成する処理と、を実行する。
【００４５】
まず、サーバ３がユーザの感受情報を記録する処理フローについて説明する。図３に示すように、サーバ３の感受情報蓄積記録部３１は、上記（ステップＳ２０２）において調査端末２から送信される感受情報開始信号を受信すると（ステップ３０１のＹＥＳ）、上記（ステップＳ２０４）において調査端末２から送信される感受情報を受信する（ステップＳ３０２）。
【００４６】
サーバ３の感受情報蓄積記録部３１は、調査端末２から送信される感受情報を、第１ＨＤＤ３３に記憶させる（ステップＳ３０３）。
【００４７】
調査端末２は感受情報の送信が終了すると、上記（ステップＳ２０６）において感受情報終了信号をサーバ３に対して送信することで感受情報の送信が終了したことをサーバ３に対して通知する。サーバ３は、調査端末２から感受情報終了信号を受信していないとき（ステップＳ３０４のＮＯ）、上述の（ステップＳ３０２）に戻り、感受情報の受信を継続し、感受情報終了信号を受信すると（ステップＳ３０４のＹＥＳ）、本処理を終了する。
【００４８】
次に、第１ＨＤＤ３３に記憶された感受情報を用いて、感受情報分布データベース３４の作成するフローについて、図３を用いて説明する。
サーバ３の感受情報分布作成部３２は、再生端末１から再生端末ＩＤ１１１を受信し、この再生端末ＩＤ１１１に基づいてユーザを特定する（ステップＳ５０１）。
【００４９】
感受情報分布作成部３２は、第１ＨＤＤ３３に記憶された感受情報に基づいて、その感受情報が更新されたと判断したとき（ステップＳ５０２のＹＥＳ）、感受情報分布情報の作成を開始する（ステップＳ５０３）。
【００５０】
まず、感受情報分布作成部３２は、第１ＨＤＤ３３に記憶された各コンテンツに対応する感受情報を、時系列で分布させ、分布のピーク時間を抽出し、感受情報分布情報を作成し、感受情報分布データベース３４の第１階層３４１に記憶させる（ステップＳ５０４）。このようにして、対象コンテンツを視聴した全ユーザ（一般）の感受情報分布情報が感受情報分布データベース３４の第１階層３４１に記憶される。
【００５１】
また、感受情報分布作成部３２の類似嗜好人情報処理部３２１は、再生端末１から送信される再生端末ＩＤ１１１に対応するユーザの嗜好に類似する嗜好人の感受情報を、類似嗜好人リスト過去情報３２１ａの中から抽出し、上記同様に、各感受情報を時系列で分布させ、分布のピーク時間を抽出した感受情報分布情報を、コンテンツ毎に作成する（ステップＳ５０５）。
【００５２】
そして、類似嗜好人情報処理部３２１は、類似嗜好人リスト過去情報３２１ａに基づいて、再生端末ＩＤ１１１に対応するユーザに類似する嗜好人の感受情報分布情報に対してその類似度を夫々算出し、算出した類似度に基づいて、嗜好人の感受情報分布情報を分類し（ステップＳ５０６）、感受情報分布データベース３４の対応する第２乃至第４階層３４２、３４３、３４４に夫々記憶させる。なお、類似嗜好人情報処理部３２１は、上記（ステップＳ５０５）及び（ステップＳ５０６）処理を、第１ＨＤＤ３３の感受情報が更新したことをトリガーとして、開始する。
【００５３】
次に、サーバ３がコンテンツの指定箇所を再生する処理フローについて、図４を用いて説明する。サーバ３は、再生端末１から送信されるコンテンツ再生開始信号を受信すると（ステップＳ４０１のＹＥＳ）、再生端末１の表示管理部１２で表示されたコンテンツの感受情報分布情報の中から、再生端末１の入力管理部１３により指定された感受情報分布情報の指定箇所（時間）を検索する（ステップＳ４０２）。
【００５４】
その後、サーバ３は、その検索されたコンテンツのストリーミング情報を、再生端末１に配信（送信）する（ステップＳ４０３）。サーバ３は、上記検索結果に基づいて、コンテンツ再生が終了したと判断したとき（ステップＳ４０４のＹＥＳ）、本処理を終了する。
【００５５】
図３は、感受情報の蓄積、及び分布の作成までを示している。図５においては、図３で蓄積または分布の情報の表示に必要な処理について示している。その処理フローは、まず、（ステップＳ１０２）及び（ステップＳ５０２）において、ネットワーク４を介して同期を行い、（ステップＳ５０２）において、第１ＨＤＤ３３の更新を感知し、更新が生じた場合、（ステップＳ５０３）（（ステップＳ５０４）＋（ステップＳ５０５））で感受情報分布データベース３４を更新する。そして、この情報に基づいて、感受情報分布情報表示データを作成し、この感受情報分布情報表示データを再生端末１に対して送信し、再生端末は、（Ｓ１０３）で受信し、再生端末１の操作関連の表示を行う。
【００５６】
次に、サーバ３が再生端末１に表示のための感受情報分布情報を作成する処理フローについて、図５を用いて説明する。なお、図５における（ステップＳ５０１）乃至（ステップＳ５０６）の処理は、上記図３における（ステップＳ５０１）乃至（ステップＳ５０６）と略同一であるため、詳細な説明は省略する。
【００５７】
感受情報分布作成部３２は、感受情報分布データベース３４の第１乃至第４階層の感受情報分布情報を用いて、その感受情報分布情報を再生端末１に表示させるための表示データを作成し（ステップＳ５０７）、作成した表示データを再生端末１に対して送信し（ステップＳ５０８）、上記（ステップＳ５０２）に戻る。
【００５８】
なお、サーバ３は、再生端末ＩＤ１１１に基づいて、第１ＨＤＤ３３の再生端末ＩＤ１１１に対応するユーザの感受情報が更新されたと判断したとき、上記（ステップＳ１０３）において、感受情報分布情報の表示更新を行うように再生端末１に指示する。
【００５９】
図６は、本発明の一実施形態に係るコンテンツ再生システムの再生端末に表示される表示画面の一例を示す図である。
【００６０】
再生端末１の表示画面４００において、各コンテンツ４０１が画面全体に表示され、表示画面４００下側かつ左側には、タッチパネル式の機能操作スイッチ４０２が表示され、表示画面４００下側かつ右側には、タッチパネル式の感受情報分布情報４０３が表示されている。ユーザは、表示画面４００上のタッチパネルの機能操作スイッチ４０２あるいは、感受情報分布情報の各表示を押圧操作することで、入力管理部１３に各種の操作情報を入力することができる。
【００６１】
表示画面４００のタッチパネルに表示されている機能操作スイッチ４０２は、例えば、コンテンツの再生を行う再生キー４０２ａ、コンテンツの停止を行う停止キー４０２ｂ、コンテンツ表示の一時停止を行うポーズキー４０２ｃ、コンテンツの再生を後方へスキップさせる逆スキップキー４０２ｄ、コンテンツの再生を先方へスキップさせる順スキップキー４０２ｅ、などから構成されている。
【００６２】
表示画面４００に表示される感受情報分布情報４０３において、最下部に、現在再生されているコンテンツに対するそのユーザの一般の感受情報分布情報が表示され、その上に、現在再生されているコンテンツに対する類似度４０％以上の類似嗜好人の感受情報分布情報が表示され、その上に、現在再生されているコンテンツに対する類似度６０％以上の類似嗜好人の感受情報分布情報が表示され、最上部に、現在再生されているコンテンツに対する類似度９０％以上の類似嗜好人の感受情報分布情報が表示される。なお、上記表示方法は一例であり、これに限らず、任意の順序、位置、大きさで表示されてもよい。
【００６３】
また、例えば、タッチパネル式の表示、類似度９０％以上、類似度６０％以上、類似度４０％以上、及び一般のうちいずれかを押圧することで、各類似度の感受情報分布情報に対する選択情報が入力管理部１３に入力される。さらに、各感受情報分布情報において、現在の再生位置を示す現再生位置表示４０３ａと、感受情報のピーク時間を示すピーク時間表示４０３ｂが表示される。
【００６４】
図６に示すように、現再生位置表示４０３ａの先方（右側）に感受情報のピーク時間表示４０３ｂがあり、例えば、視聴中に、順スキップキー４０２ｅを押圧操作することで、現再生位置表示４０３ａを、感受情報が高いピーク時間表示４０３ｂまで進めて視聴することができる。これにより、ユーザは、簡易かつ迅速に、感受性の高いところでコンテンツを視聴することができる。
【００６５】
次に、表示画面４００に表示される感受情報分布情報４０３を用いて視聴する方法の一例を、図７及び図８を用いて説明する
【００６６】
類似度９０％以上の類似嗜好人の感受情報分布情報を利用する場合に、図７に示すように、まず、類似度９０％以上の表示を選択し、その後、右端にある現再生位置表示４０３ａを、逆スキップキー４０２ｄを４回選択することで、右端からＡ→Ｂ→Ｃ→Ｄと移動させて逆再生する。次に、順スキップキー４０２ｅを２回選択し、現再生位置表示４０３ａをＤ→Ｃ→Ｂと移動させて順再生する。このようにして、コンテンツの感受の高いところだけを再生して視聴することができる。
【００６７】
同様に、類似度６０％以上の類似嗜好人の感受情報分布情報４０３を利用する場合に、図８に示すように、右端にある現再生位置表示４０３ａを、逆スキップキー４０２ｄを３回選択することで、右端からＡ→Ｃ→Ｄと移動させて逆再生する。次に、順スキップキー４０２ｅを２回選択し、現再生位置表示４０３ａをＤ→Ｃ→Ａと移動させて順再生する。
【００６８】
以上、本実施形態に係るコンテンツ再生システム１０によれば、再生端末１の表示画面４００に表示された各コンテンツに対応する感受情報分布情報４０３を用いることで、そのコンテンツ内の感受性の高い面白部分を選んで視聴することができる。したがって、選択されたコンテンツおいて、そのコンテンツ全体を見る必要がないため、コンテンツの内容を短時間で確認できる。
【００６９】
なお、本発明は上記実施の形態に限られたものではなく、趣旨を逸脱しない範囲で適宜変更することが可能である。また、上述の実施の形態では、本発明をハードウェアの構成として説明したが、本発明は、これに限定されるものではない。本発明は、上述した処理を、上記ＣＰＵにコンピュータプログラムを実行させることにより実現することも可能である。
【００７０】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００７１】
プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７２】
さらに、上記実施の形態の一部又は全部は、以下の付記のようにも記載されうるが、以下には限られない。
【００７３】
（付記１）
再生されたコンテンツを視聴しているときのユーザの感受情報を収集する感受情報収集手段と、前記感受情報収集手段により収集された前記ユーザの感受情報に基づいて、前記コンテンツ毎に前記感受情報の分布情報を作成する感受情報分布作成手段と、前記感受情報分布作成手段により作成された前記感受情報の分布情報を、対応するコンテンツと共に表示させる表示手段と、を備える、ことを特徴とするコンテンツ再生システム。
（付記２）
（付記１）のコンテンツ再生システムであって、前記感受情報分布作成手段は、前記感受情報を時系列で分布させた分布情報のピーク時間を抽出し、前記表示手段は、前記感受情報分布作成手段により抽出された前記感受情報の分布情報におけるピーク時間と、前記コンテンツの現在の再生位置とを表示させる、ことを特徴とするコンテンツ再生システム。
（付記３）
（付記２）のコンテンツ再生システムであって、前記表示手段は、ユーザの再生操作に応じて、前記コンテンツの現在の再生位置を、前記ピーク時間の位置へスキップさせる、ことを特徴とするコンテンツ再生システム。
（付記４）
（付記１）乃至（付記３）のうちいずれかのコンテンツ再生システムであって、前記感受情報分布作成手段は、ユーザの再生端末から送信されるＩＤ情報に基づいて、前記ユーザと類似する嗜好人の感受情報の分布情報を生成する類似嗜好人情報処理部を有しており、前記表示手段は、前記類似嗜好人情報処理部により生成された前記ユーザと類似する嗜好人の感受情報の分布情報を、前記対応するコンテンツと共に表示させる、ことを特徴とするコンテンツ再生システム。
（付記５）
（付記４）のコンテンツ再生システムであって、前記類似嗜好人情報処理部は、生成した嗜好人の感受情報の分布情報を前記ユーザとの類似度毎に分類し、前記表示手段は、前記類似嗜好人情報処理部により分類された嗜好人の感受情報の分布情報を前記類似度毎に表示させる、ことを特徴とするコンテンツ再生システム。
（付記６）
（付記５）のコンテンツ再生システムであって、前記表示手段は、表示画面に、前記コンテンツと、該コンテンツの再生操作を行うための操作スイッチと、前記類似度毎の感受情報の分布情報と、前記ユーザの感受情報の分布情報と、を表示させる、ことを特徴とするコンテンツ再生システム。
（付記７）
（付記１）乃至（付記６）のうちいずれかのコンテンツ再生システムであって、前記感受情報収集手段は、前記ユーザの生体情報を検出する生体センサを用いて、前記ユーザの感受情報を収集する、ことを特徴とするコンテンツ再生システム。
（付記８）
（付記１）乃至（付記７）のうちいずれかのコンテンツ再生システムであって、前記感受情報収集手段を有する調査端末と、前記調査端末と通信ネットワークを介して接続され、前記感受情報分布作成手段を有するサーバと、前記調査端末及びサーバと通信ネットワークを介して接続され、前記表示手段を有する再生端末と、を備える、ことを特徴とするコンテンツ再生システム。
（付記９）
ユーザの調査端末から送信されるコンテンツを視聴しているときのユーザの感受情報に基づいて、前記コンテンツ毎に前記感受情報の分布情報を作成し、該作成された感受情報の分布情報を、対応するコンテンツと共にユーザの再生端末に対して送信する、ことを特徴とするサーバ。
（付記１０）
再生されたコンテンツを視聴しているときのユーザの感受情報を収集し、前記収集されたユーザの感受情報に基づいて、前記コンテンツ毎に前記感受情報の分布情報を作成し、前記作成された感受情報の分布情報を、対応するコンテンツと共に表示させる、ことを特徴とするコンテンツ再生方法。
（付記１１）
再生されたコンテンツを視聴しているときのユーザの感受情報を収集する処理と、前記収集されたユーザの感受情報に基づいて、前記コンテンツ毎に前記感受情報の分布情報を作成する処理と、前記作成された感受情報の分布情報を、対応するコンテンツと共に表示させる処理と、をコンピュータに実行させる、ことを特徴とするプログラム。
【符号の説明】
【００７４】
１      再生端末
２      調査端末
３      サーバ
４      通信ネットワーク
１０      コンテンツ再生システム
１１      端末固有情報管理部
１２      表示管理部
１３      入力管理部
１４      通信制御部
１５      Ｗｅｂブラウザ
２１      感受情報収集部
２２      通信制御部
２３      生体センサ
３１      感受情報蓄積記録部
３２      感受情報分布作成部
３３      第１ＨＤＤ３３
３４      感受情報分布データベース３４
３５      感受情報分布表示作成部
３６      コンテンツ指定箇所再生開始部
３７      第２ＨＤＤ
３８      Ｗｅｂサーバ
３９      通信制御部
３２１      類似嗜好人情報処理部
３２１ａ    類似嗜好人リスト過去情報
３４１      第１階層
３４２      第２階層
３４３      第３階層
３４４      第４階層
４００      表示画面
４０１      コンテンツ
４０２      機能操作スイッチ
４０２ａ    再生キー
４０２ｂ    停止キー
４０２ｃ    ポーズキー
４０２ｄ    逆スキップキー
４０２ｅ    順スキップキー
４０３      感受情報分布情報
４０３ａ    現再生位置表示
４０３ｂ    ピーク時間表示
【図１】
2012104037.tif 000003
【図２】
2012104037.tif 000004
【図３】
2012104037.tif 000005
【図４】
2012104037.tif 000006
【図５】
2012104037.tif 000007
【図６】
2012104037.tif 000008
【図７】
2012104037.tif 000009
【図８】
2012104037.tif 000010